(57)【特許請求の範囲】
【請求項１】
針（１６）を定着された基部（２）と、前記基部（２）にヒンジ連結されたハウジング（６）を含み、前記ハウジングは針を実質上覆うために針（１６）の長手方向軸線に沿って実質上整列した位置に旋回できて成る針に使用する安全装置において、前記ハウジング（６）がその保護位置へ完全に旋回させられる前に針（１６）の尖端（１６t）の側面に接触するように配置されたハウジング（６）上の吸収材料（２６）を含み、ハウジング（６）が前記整列位置に旋回させられているときに針（１６）の尖端の流体を吸収するようになしたことを特徴とする安全装置。
【請求項２】
ハウジング（６）と一体に形成された止め具（２２）を含み、前記止め具（２２）は、一旦ハウジング（６）が整列位置に旋回すれば、ハウジング（６）内に針（１６）を固定状に保持し、吸収材料（２６）は、針が止め具（２２）に接触する前にハウジング（６）が整列位置に旋回させられているときに、針（１６）に接触する輪郭に形成されていることを特徴とする請求項１に記載の安全装置。
【請求項３】
基部（２）上の第２部材（３０、３２、３４）と協働しそして一旦ハウジングが整列位置に旋回すると、ハウジング（６）と基部（２）の間の相対的動きを阻止するハウジング（６）上の部材（２８、３６）を含むことを特徴とする請求項１に記載の安全装置。
【請求項４】
吸収材料（２６）は、第１と第２の部材（２８、３６及び３０、３２、３４、３８）がハウジング（６）と基部（２）の間の相対的動きを阻止するために完全に協働する前に、針（１６）と接触するような輪郭に形成されたことを特徴とする請求項３に記載の安全装置。
【請求項５】
吸収材料（２６）は、ハウジング（６）が整列位置に旋回するとき材料を横切って針（１６）を移動させるに十分な可撓性をもった流体吸収材料からなることを特徴とする請求項１から４の何れか１項に記載の安全装置。
【請求項６】
吸収材料は発泡体からなることを特徴とする請求項１から５の何れか１項に記載の安全装置。
【請求項７】
吸収材料が綿又はスポンジからなることを特徴とする請求項１から５の何れか１項に記載の安全装置。
【発明の詳細な説明】
【０００１】
【産業上の利用分野】
本発明は針に使用する安全装置に関するものである。
詳細には、本発明は皮下注射針の尖端が使用後露出しないようになす外装に関するものである。
【０００２】
【従来の技術】
米国特許第４，９８２，８４２号には、装置の基部にヒンジ連結したハウジングを備えた安全針装置が開示されている。ハウジングは装置に適合させた針と整列した位置に旋回して、針を包むようになすことができる。この装置は偶発的な針の突き刺さりを防止するのに極めて有効である。
【０００３】
血液又は薬剤の如き流体は使用後針の内部又は外部に集まることがあり、そしてこの流体は針を包むよう保護ハウジングを旋回させたとき、大気中に飛散したり、跳ね散ったり、エーロゾル化されたりする可能性がある。このことは特に、ハウジングが針を覆うよう旋回させられたときに針上にスナップ嵌合するフックのような一体に形成された止め具をハウジングがもつときには実際に起こることが分かった。エーロゾル化又は噴霧化される流体は例えばＨＩＶウイルスをもつ汚染血液のような汚染流体であるかも知れない。
【０００４】
【発明が解決しようとする課題】
本発明の目的は跳ねかかりの危険性を小さくする針外装を提供することにある。
【０００５】
【課題を解決するための手段】
本発明は１特色として、  針を定着された基部と、前記基部にヒンジ連結されたハウジングを含み、前記ハウジングは針を実質上覆うために針の長手方向軸線に沿って実質上整列した位置に旋回できて成る針に使用する安全装置において、前記ハウジングがその保護位置へ完全に旋回させられる前に針の尖端の側面に接触するように配置されたハウジング上の吸収材料を含み、ハウジングが整列位置に旋回させられているときに針の尖端の流体を吸収するようになしたことを特徴とする安全装置を提供する。
【０００６】
本発明は好適には、ハウジングと一体に形成された止め具をもち、前記止め具は、一旦ハウジングが整列位置に旋回すれば、ハウジング内に針を固定状に保持する。吸収材料は基部から遠方側のハウジングの端に置かれ、吸収材料は、針が止め具に接触する前に、ハウジングが整列位置に旋回させられているときに、針に接触するような輪郭に形成される。別法として、該装置は基部上の第２部材と協働しそして一旦ハウジングが整列位置に旋回すると、ハウジングと基部の間の相対的動きを阻止するハウジング上の部材を含む。吸収材料は、第１と第２の部材がハウジングと基部の間の相対的動きを阻止するために完全に協働する前に、針と接触するような輪郭に形成される。吸収材料は好適には、ハウジングが整列位置に旋回するとき材料を横切って針を移動させるに十分な可撓性をもった流体吸収材料からなる。吸収材料は発泡体、綿又はスポンジからなる。
【０００７】
以下、本発明の針外装組立体の実施例を添付図面につき説明する。
【０００８】
【実施例】
第１〜３図には可撓性帯片又は活ヒンジ４によってハウジング又は外装６に連結された基部２をもつ安全装置を含む針外装組立体を示す。基部２は流体容器、例えば注射器（図示せず）と適合するように下端に周囲リップ１０を有する延長部８をもつ。針外装組立体は針１６をもつ針組立体１２を含み、ハブ１４によって基部２の他端に適合する。かくして、針１６は長手方向軸線１８に沿って基部２に固定される。
【０００９】
外装６は一部を切除して図示しており、２方向矢印２０で示すように２方向に旋回するようにヒンジ４によって基部２に連結している。第１図では、外装６は長手方向軸線１８から離れた位置にある状態で示されており、従って針１６は薬を患者に供給するか、又は血液を患者から抜き取るために使用することができる。使用後、針１６にはその尖端１６ｔに又はその近くに血液の小滴が付着することがある。
【００１０】
もし普通の針外装を使用すれば、汚染された血液の小滴が跳ねかかるか又は大気中に飛散する危険性があり、特に勢いの強過ぎるスナップ動作が使用されるとそうなる危険性がある。その結果、血液小滴はエーロゾル化又は霧状化され、微小噴霧を形成することになる。従ってオペレータ又は近くの傍観者が噴霧又は小滴を跳ねかけられ、汚染血液に含まれるかも知れない感染性の病気に曝される可能性がある。
【００１１】
本発明では、外装６はハウジングに一体に形成されたフックの形をなすロック機構をもつ。複数のフックも使用できるけれども、簡明化のため、１つのフック２２のみを示す。外装６は流体吸収材料２６を入れる大きな溝２４をもつ。前記材料２６は例えば接着によって、溝２４により形成された空洞部内に固定される。外装６が軸線１８に向かって旋回すると、米国特許第４，９８２，８４２号に記載されたようにして、針がフック２２によって保持されるようになるまで、針６が材料２６を横切って移動する。材料２６は発泡体、フエルト、綿、紙、ポリウレタン発泡体又はスポンジのような多くの流体吸収材料の内の何れか任意のものから構成することができる。比較的細い太さの可撓性針１６に当たって撓むような十分柔らかな他の繊維質材料も使用可能である。更に、材料２６は少なくともそれ自身の重量の流体を吸収できる必要がある。
【００１２】
本実施例では、材料２６は、針１６の中央部分がフック２２に接触する前に針尖端１６ｔに接触するような輪郭に形成される。従って、どんな流体が針尖端に集まっても、その流体は針１６がフック２２によって保持される前に材料２２によって吸収されて外装６によって完全に包囲される。このようにすれば、針からはね飛ばされる流体は存在しない。第１、２図に拡大して示すように材料２６の一部２６ｔは外装６の開放表面６ｓから延び出ている。
【００１３】
作業に際しては、外装６が針１６を包むよう軸線１８に向かって旋回すると、針１６の尖端１６ｔに集まった汚染された血液小滴はすべて先ず部分２６ｔの材料２６に接触し、それによって吸収される。その結果、外装６がそれ以上軸線１８に向かって動かされて、針１６及び基部２と実質上整列した位置に置かれるとき、汚染された流体が尖端部分１６ｔからはね飛んだり、はね掛かったりすることはない。第２図はフック２２によって針１６を保持し、針１６の上部を材料２６内に包んだ状態を示す。
【００１４】
第４、５図は一旦外装６が軸線１８と実質上整列した位置に旋回すると、外装６と基部２の間の相対的移動が阻止されるようになった、夫々異なった実施例を示す。第４、５図の実施例では、フック２２は外装６内に設けられていない。従って、たとえ外装６が軸線１８に沿った整列位置に完全に回動したときにも、針１６は材料２６以外のものには接触しない。第４、５図の実施例の各々は血液小滴が針６から垂れ落ちるのを防止する。
【００１５】
特に、第４図では、開口２８が外装６の下部にあり、また基部２から延在する留め具３０がある。開口２８と留め具３０は、外装６が基部２に向かって旋回したとき、留め具３０及び特にその拡大尖端３２が開口２８を通過するように、配置される。留め具３０の尖端３２は底面３４をもち、その直径は開口２８の直径より大きい。その結果、一旦外装６が整列位置に置かれ、開口２８が尖端３２を横切って通ると、底部３４は外装６が基部２から離れる方向に旋回しないようになす。従って、外装６は針１６を包む整列位置に留まり、その間、針１６の上部（第４、５図には示さず）は材料２６内に埋め込まれ、針尖端１６ｔに集まったすべての流体を材料２６によって吸収する。
【００１６】
第５図の実施例では、単一の開口及びそれに対応する留め具の代わりに、２つの開口３６を外装６の下部の対向する側に設け、２つの対応する突出部３８が基部２と一体に形成される。各突出部は斜面輪郭をもっていて、一旦外装６が旋回して針１６と整列すれば、その底面４０が外装６を基部２から離れないようになす。従って、開口３６と突出部３８は協働し、一旦突出部３８が開口３６にスナップ嵌合してロックされると、外装６と突出部２の間のそれ以上の相対的動きは防止される。第４、５図の実施例の外装６は第１、２図の実施例と同様な輪郭に作られた材料２６をもつことができる。別法として、材料２６は外装６の表面６ｓを越えて延び出ないような輪郭に作ることができる。というのは、外装６と一体に形成されたフック２２をもたず、針１６は材料２６以外のものとは接触しないからである。従って、針１６の尖端１６ｔから垂れ落ちる流体はすべて材料２６によって吸収される。
【図面の簡単な説明】
【図１】外装を針から離した状態にある安全装置をもった、針外装組立体の部分切除した側面、立面図である。
【図２】針外装を針／基部の長手方向軸線に沿って整列した位置へ旋回させている、第１図の組立体の部分切除した立面図である。
【図３】外装を旋回させて針から離している安全装置の平面図である。
【図４】異なったロック機構を用いた、変更した安全装置の基部と下部の斜視図である。
【図５】他の異なったロック機構を用いた、他の変更した安全装置の基部と下部の斜視図である。
【符号の説明】
２  基部
４  活ヒンジ
６  外装
８  延長部
１０  周囲リップ
１２  針組立体
１６  針
２２  フック
２６  流体吸収材料
２８  開口
３０  留め具
３２  尖端
３６  開口
３８  突出部
【図１】
0003553124.tif 000002
【図２】
0003553124.tif 000003
【図３】
0003553124.tif 000004
【図４】
0003553124.tif 000005
【図５】
0003553124.tif 000006